(57)【要約】【課題】多重化された複数の番組毎に受信品質に応じた出力制限を行うことができる多重放送受信機を提供すること。【解決手段】多重放送受信機１００は、ビタビ復号化処理を行うビタビデコーダ２４と、受信データを格納する入力バッファ３２と、入力バッファ３２に格納された受信データを読み出してリードソロモン復号化処理を行って出力バッファ３６に格納するとともに誤り訂正数をＰＩＤ値に対応づけて出力するＲＳデコーダ３４と、出力バッファ３６に格納された受信データの中から受信対象のデータを分離するデマルチプレクサ３８と、分離された後のデータに対してデコード処理を行うビデオデコーダ４２、オーディオデコーダ４６、データサービスデコーダ５０と、ＰＩＤ値毎の誤り訂正数に基づいてビデオデコーダ４２等の出力を制限する指示を行う主制御部６０とを備えている。【選択図】図５
2012175260.tif 000002
【特許請求の範囲】
【請求項１】
ＭＰＥＧ２−ＴＳ規格に準拠した構造を有し、複数の番組データが多重化されたデータを受信する多重放送受信機であって、
受信データに対してビタビ復号化処理を行うビタビ復号化処理手段と、
前記ビタビ復号化処理手段から出力される受信データを格納する第１のデータ格納手段と、
前記第１のデータ格納手段に格納された受信データを読み出してリードソロモン復号化処理を行って第２のデータ格納手段に格納するとともに、このリードソロモン復号化処理において誤り訂正を行う際の誤り情報を、ＭＰＥＧ２−ＴＳ規格に準拠したトランスポート・パケットのパケット識別情報に対応づけて出力するリードソロモン復号化処理手段と、
前記第２のデータ格納手段に格納された受信データの中から、受信対象の番組データを分離するデータ分離手段と、
前記データ分離手段によって分離された後の番組データに対してデコード処理を行ってデコード出力信号としてのビデオ信号、オーディオ信号、データサービス信号の一部あるいは全部を出力するデコード手段と、
前記パケット識別情報に対応づけられた前記誤り情報に基づいて、前記デコード手段の出力を制限する指示を行う出力制御手段と、
を備えることを特徴とする多重放送受信機。
【請求項２】
請求項１において、
前記第２のデータ格納手段は、２つの領域を有しており、一方の領域に前記リードソロモン復号化処理手段による書き込みが行われているときに、他方の領域から受信データが読み出されて前記デコード手段に入力され、
前記出力制御手段は、前記他方の領域から読み出される受信データに対応する前記誤り情報に基づいて前記デコード手段の出力を制限することを特徴とする多重放送受信機。
【請求項３】
請求項２において、
前記出力制御手段は、前記パケット識別情報毎に集計された前記誤り情報に基づいて前記デコード手段の出力を制限することを特徴とする多重放送受信機。
【請求項４】
請求項２または３において、
前記誤り情報は、誤り訂正数であり、
前記出力制限手段は、前記誤り訂正数が所定の基準を超えるときに、この誤り訂正数に対応する前記パケット識別情報で特定されるＰＥＳに対応する信号の出力を制限することを特徴とする多重放送受信機。
【請求項５】
請求項２または３において、
前記誤り情報は、誤り訂正数と誤り訂正前の誤り数であり、
前記出力制限手段は、誤り訂正によって訂正できなかった誤りが残っているときに、前記誤り情報に対応する前記パケット識別情報で特定されるＰＥＳに対応する信号の出力を制限することを特徴とする多重放送受信機。
【請求項６】
請求項４または５において、
前記出力制限手段は、前記デコード手段の出力信号がオーディオ信号であるときに、オーディオ信号の出力を停止するミュート指示を前記デコード手段に対して行うことを特徴とする多重放送受信機。
【請求項７】
請求項４または５において、
前記出力制限手段は、前記デコード手段の出力信号がビデオ信号であるときに、ビデオ信号に対応する画面を徐々に暗くする指示をフェードアウト処理を前記デコード手段に対して行うことを特徴とする多重放送受信機。
【発明の詳細な説明】
【技術分野】
【０００１】
本発明は、複数の番組が多重化された放送データを受信して再生する多重放送受信機に関する。
【背景技術】
【０００２】
従来から、ＭＰＥＧ２−ＴＳ（Transport Stream）規格に準拠した受信データを受信する多重放送受信機が知られている（例えば、特許文献１参照。）。このような放送受信機では、受信データに対して２種類の誤り検出、訂正処理が行われることがある。一つは、畳み込み符号化に対して行われるビタビ復号化処理であり、他の一つは、リードソロモン符号化に対して行われるリードソロモン復号化処理である。特に、リードソロモン復号化処理における誤り訂正処理の能力は高いため、受信データに誤りが含まれている場合であってもかなりの範囲で誤り修正が可能であり、良好な音質の音声出力や良好な画質の映像出力が得られる。
【０００３】
ところが、受信状態が悪化した場合などにはリードソロモン復号化処理による誤り訂正が十分でない場合があり、音質や画質が悪化し、視聴者に不快感を与えることになる。このような場合に、出力をミュートすることによって視聴者に与える不快感を軽減する各種の受信機が知られている（例えば、特許文献２〜４参照。）。
【先行技術文献】
【特許文献】
【０００４】
【特許文献１】特開２００８−２０６１５６号公報（第５−１３頁、図１−１５）
【特許文献２】特開平１０−２８０６５号公報（第５−９頁、図１−１４）
【特許文献３】特開２００２−３５４３５９号公報（第２−４頁、図１）
【特許文献４】特開２０００−２２１９９６号公報（第４−６頁、図１−３）
【発明の概要】
【発明が解決しようとする課題】
【０００５】
上述した特許文献１等に用いられるＭＰＥＧ２−ＴＳ規格に準拠した受信データでは、多重化された受信データに含まれる複数の番組データが分離されて番組毎の音声データや映像データ等が得られるが、これらの音声データや映像データには誤り検出符号が付加されたものもあるが、付加されないものも有り、これらについて個別にデータ品質を知ることはできず、番組毎に受信品質に応じて出力を制限（例えば、音声の場合にはミュート処理）を行うことができないという問題があった。
【０００６】
本発明は、このような点に鑑みて創作されたものであり、その目的は、多重化された複数の番組毎に受信品質に応じた出力制限を行うことができる多重放送受信機を提供することにある。
【課題を解決するための手段】
【０００７】
上述した課題を解決するために、本発明の多重放送受信機は、ＭＰＥＧ２−ＴＳ規格に準拠した構造を有し、複数の番組データが多重化されたデータを受信する多重放送受信機であって、受信データに対してビタビ復号化処理を行うビタビ復号化処理手段と、ビタビ復号化処理手段から出力される受信データを格納する第１のデータ格納手段と、第１のデータ格納手段に格納された受信データを読み出してリードソロモン復号化処理を行って第２のデータ格納手段に格納するとともに、このリードソロモン復号化処理において誤り訂正を行う際の誤り情報を、ＭＰＥＧ２−ＴＳ規格に準拠したトランスポート・パケットのパケット識別情報に対応づけて出力するリードソロモン復号化処理手段と、第２のデータ格納手段に格納された受信データの中から、受信対象の番組データを分離するデータ分離手段と、データ分離手段によって分離された後の番組データに対してデコード処理を行ってデコード出力信号としてのビデオ信号、オーディオ信号、データサービス信号の一部あるいは全部を出力するデコード手段と、パケット識別情報に対応づけられた誤り情報に基づいて、デコード手段の出力を制限する指示を行う出力制御手段とを備えている。
【０００８】
ＭＰＥＧ２−ＴＳ規格に準拠した構造では、番組を構成するトランスポート・パケット毎に異なるパケット識別情報が対応づけられているため、このパケット識別情報毎のリードソロモン復号化処理における誤り情報を用いることにより、多重化された複数の番組毎に受信品質に応じた出力制限を行うことができる。
【０００９】
また、上述した第２のデータ格納手段は、２つの領域を有しており、一方の領域にリードソロモン復号化処理手段による書き込みが行われているときに、他方の領域から受信データが読み出されてデコード手段に入力され、出力制御手段は、他方の領域から読み出される受信データに対応する誤り情報に基づいてデコード手段の出力を制限することが望ましい。第２のデータ格納手段を２面構成とすることにより、各面の領域毎に誤り情報を得ることができるため、出力制限の制御が容易となる。
【００１０】
また、上述した出力制御手段は、パケット識別情報毎に集計された誤り情報に基づいてデコード手段の出力を制限することが望ましい。これにより、受信品質をある期間にわたって判定して出力制限を行うことができ、出力制限の内容が頻繁に変化して利用者に不快感を与えることを防止することができる。
【００１１】
また、上述した誤り情報は、誤り訂正数であり、出力制限手段は、誤り訂正数が所定の基準を超えるときに、この誤り訂正数に対応するパケット識別情報で特定されるＰＥＳに対応する信号の出力を制限することが望ましい。誤り訂正数が所定の基準を超える場合とは、その時点では誤り訂正が良好に行われているが、今後誤り訂正ができないほど受信品質が低下するおそれがあると考えることができる場合である（反対に、このような事態を想定して基準が設定される）。このような場合にデコード手段の出力を制限することにより、オーディオ出力の音飛びやビデオ出力の極端な画質低下の発生を未然に防止することができる。
【００１２】
また、上述した誤り情報は、誤り訂正数と誤り訂正前の誤り数であり、出力制限手段は、誤り訂正によって訂正できなかった誤りが残っているときに、誤り情報に対応するパケット識別情報で特定されるＰＥＳに対応する信号の出力を制限することが望ましい。これにより、誤り訂正が十分でなく、訂正できなかった誤り数が残った場合についてデコード手段の出力を制限することにより、オーディオ出力の音飛びやビデオ出力の極端な画質低下の発生を確実に防止することができる。
【００１３】
また、上述した出力制限手段は、デコード手段の出力信号がオーディオ信号であるときに、オーディオ信号の出力を停止するミュート指示をデコード手段に対して行うことが望ましい。これにより、オーディオの出力品質が極端に悪化して利用者に不快感を与えることを未然に防止することができる。
【００１４】
また、上述した出力制限手段は、デコード手段の出力信号がビデオ信号であるときに、ビデオ信号に対応する画面を徐々に暗くする指示をフェードアウト処理をデコード手段に対して行うことが望ましい。これにより、ビデオの表示品質が極端に悪化して利用者に不快感を与えることを未然に防止することができる。
【図面の簡単な説明】
【００１５】
【図１】ＭＰＥＧ２−ＴＳの基本的なデータ構造を示す図である。
【図２】ＰＡＴのデータ構造を示す図である。
【図３】ＰＭＴのデータ構造を示す図である。
【図４】ＰＡＴ、ＰＭＴ、各ＰＥＳの概略的な関係を具体例で示す図である。
【図５】一実施形態の多重放送受信機の構成を示す図である。
【図６】ＲＳデコーダから出力されて主制御部によって集計されるＲＳエラー訂正数の説明図である。
【図７】ＲＳエラー訂正数の出力からビデオデコーダやオーディオデコーダの出力制限指示までの動作手順を示す説明図である。
【図８】ＲＳエラー訂正数の出力からビデオデコーダやオーディオデコーダの出力制限指示までの動作手順を示す説明図である。
【発明を実施するための形態】
【００１６】
以下、本発明を適用した一実施形態の多重放送受信機について、図面を参照しながら説明する。
【００１７】
（ＭＰＥＧ２−ＴＳのデータ構造）
最初に、ＭＰＥＧ２−ＴＳのデータ構造について説明する。図１は、ＭＰＥＧ２−ＴＳの基本的なデータ構造を示す図である。図１に示すように、ＭＰＥＧ２−ＴＳは、ＴＳヘッダ部と、ペイロード部（データ本体）と、ＲＳ部とで構成されている。ＴＳヘッダ部とペイロード部とで１８８バイトのトランスポート・パケットが構成されている。また、ＲＳ部は、リードソロモン・パリティワードであり、トランスポート・パケットの誤り訂正に用いられる。トランスポート・ストリーム（ＴＳ）は、この１８８バイトの固定長トランスポート・パケットによって多重・分離される。
【００１８】
ＭＰＥＧ２−ＴＳで伝送されるデータには、ＰＡＴ（Program Association Table）、ＰＭＴ（Program Map Table）、ＣＡＴ（Conditional Access Table）、ＮＩＴ（Network Information Table）、各種ＰＥＳ（Packetized Elementary Stream）がある。
【００１９】
ＰＡＴ：番組（プログラム）番号ごとにその番組構成を記述しているテーブル（ＰＭＴ）を伝送しているトランスポート・パケットのＰＩＤ（Packet Identification、パケット識別情報）が記述されている。ＰＡＴ自身のＰＩＤは、固定値（０ｘ００００）を有する。このＰＡＴは、所定時間以内に１回受信される。
【００２０】
図２は、ＰＡＴのデータ構造を示す図である。図２に示すように、ＰＡＴには、各ＰＭＴのネットワークＩＤ（ＰＩＤ）が含まれており、各ＰＭＴのＰＩＤがわかるようになっている。また、ＰＡＴの最後には、誤り検出符号であるＣＲＣ（Cyclic Redundancy Check、巡回冗長検査）３２が含まれている。
【００２１】
ＰＭＴ：このトランスポート・パケットのペイロード部に、１つの番組を構成するビデオ、オーディオなどの個別ストリームが伝送されているトランスポート・パケットのＰＩＤのリストや付属情報が記述されている。
【００２２】
図３は、ＰＭＴのデータ構造を示す図である。この中で、ストリームタイプはそのＰＥＳのタイプ（オーディオ、ビデオ等）を、エレメンタリＰＩＤはそのＰＥＳのＰＩＤを、ＥＳ情報長はその後に続く記述子のバイト長を示す。ＰＭＴの最後には、ＣＲＣ３２が含まれている。
【００２３】
ＣＡＴ：このトランスポート・パケットのペイロード部に、番組のＣＡ（限定受信／スクランブルに関する情報）が記述されている。このＣＡＴから、さらに実際の解読・復号許可情報が含まれるＰＩＤを知り、スクランブル解読情報を得ることができる。
【００２４】
ＮＩＴ：このトランスポート・パケットのペイロード部に、番組の放送局ネットワーク情報が記述されている。
【００２５】
各種ＰＥＳ：各種のオーディオやビデオ、サービスデータがパケット化されて格納されている。このＰＥＳは、パケット化されたエレメンタリストリームの頭文字をとった略語であり、エレメンタリストリームとは、符号化されたビデオ、オーディオ、データサービスのそれぞれを意味する。
【００２６】
図４は、ＰＡＴ、ＰＭＴ、各ＰＥＳの概略的な関係を具体例で示す図である。図４に示す例では、ＰＡＴによって２つの番組のＰＭＴ−１、ＰＭＴ−２が特定される。一方のＰＭＴ−１によって１つのビデオ用ＰＥＳと１つのオーディオ用ＰＥＳと１つのデータ用ＰＥＳが特定される。他方のＰＭＴ−２によって１つのビデオ用ＰＥＳと２つのオーディオ用ＰＥＳが特定される。
【００２７】
このような２つの番組が含まれる番組データを受信すると、ビタビ復号化処理とリードソロモン復号化処理により誤り訂正を行って正しい受信データを得た後に、この受信データに含まれるいずれかの番組を分離して各種ＰＥＳを復号化してビデオ信号やオーディオ信号が得られる。
【００２８】
（多重放送受信機の構成）
次に、一実施形態の多重放送受信機の構成について説明する。図５は、一実施形態の多重放送受信機１００の構成を示す図である。図５に示すように、本実施形態の多重放送受信機１００は、ＲＦチューナ部１０、チャネルデコーダ部２０、ソースデコーダ部３０、主制御部６０を備えている。例えば、この多重放送受信機１００は、ＤＭＢ（Digital Multimedia Broadcast）方式で多重化された放送データを受信する。
【００２９】
ＲＦチューナ部１０は、アンテナを介して受信した信号の中から所望の受信周波数（同調周波数）成分を抽出するとともに、この抽出した信号に対して周波数変換を行った中間周波数信号を出力する。
【００３０】
チャネルデコーダ部２０は、フロントエンド部を構成するものであり、ＯＦＤＭ（Orthogonal Frequency Division Multiplex）受信部２２、ビタビデコーダ２４を備えている。ＯＦＤＭ受信部２２は、受信したＯＦＤＭシンボルから保護期間を除去した後、高速フーリエ変換を行って所定の復調動作を行う。ビタビデコーダ２４は、ＯＦＤＭ受信部２２によって復調された信号に対してビタビ復号化処理を行うことにより誤り訂正を行い、誤り訂正後の受信データを出力する。
【００３１】
ソースデコーダ部３０は、バックエンド部を構成するものであり、入力バッファ３２、ＲＳ（リードソロモン）デコーダ３４、出力バッファ３６、デマルチプレクサ３８、ビデオバッファ４０、ビデオデコーダ４２、オーディオバッファ４４、オーディオデコーダ４６、データバッファ４８、データサービスデコーダ５０、ＳＴＣ（System Time Clock）生成部５２、制御部５４を備えている。
【００３２】
入力バッファ３２は、チャネルデコーダ部２０内のビタビデコーダ２４から出力された受信データを保持する。ＲＳデコーダ３４は、入力バッファ３２に保持された受信データをトランスポート・パケット毎に読み出してリードソロモン復号化処理による誤り訂正を行う。誤り訂正後のトランスポート・パケットは、出力バッファ３６に所定の順番（例えば、ＰＩＤ値毎）に格納される。また、ＲＳデコーダ３４は、各トランスポート・パケットに対してリードソロモン符号化処理を行う際に、誤り情報としてのＲＳエラー訂正数（誤り訂正数）をＰＩＤ値とともに主制御部６０に向けて出力する。デマルチプレクサ３８は、出力バッファ３６から読み出されるストリームの中から、受信対象となる番組に対応するＰＩＤ値を有するトランスポート・パケットを分離して出力する。
【００３３】
ビデオバッファ４０は、ＰＥＳのパケット化されたビデオデータを一時的に保持する。ビデオデコーダ４２は、ビデオバッファ４０に保持されたビデオデータを読み出して、所定の復調処理（例えば、勧告Ｈ．２４６等の処理）を行ってビデオ信号を出力する。オーディオバッファ４４は、ＰＥＳのパケット化されたオーディオデータを一時的に保持する。オーディオデコーダ４６は、オーディオバッファ４４に保持されたオーディオデータを読み出して、所定の復調処理（例えば、ＡＡＣ（Advanced Audio Coding）等の復調処理）を行ってオーディオ信号を出力する。データバッファ４８は、ＰＥＳのパケット化されたデータサービス用のデータを一時的に保持する。データサービスデコーダ５０は、データバッファ５０に保持されたデータを読み出して、所定の復調処理を行う。
【００３４】
ＳＴＣ生成部５２は、トランスポート・ストリームに含まれるＳＣＲ（System Clock Reference）に基づいて時間基準であるＳＴＣを出力する。制御部５４は、トランスポート・パケットに含まれるＰＴＳ（Presentation Time Stamp）やＤＴＳ（Decoding Time Stamp）とＳＴＣ生成部５２から出力されるＳＴＣに基づいて、ビデオデコーダ４２、オーディオデコーダ４６、データサービスデコーダ５０を制御する。主制御部６０は、多重放送受信機１００の全体を制御するとともに、ＲＳデコーダ３４から出力されるＰＩＤ値毎のＲＳエラー訂正数を集計し、その集計結果に基づいて必要に応じてビデオデコーダ４２やオーディオデコーダ４６の出力を制限する指示をこれらに対して行う。
【００３５】
上述したビタビデコーダ２４がビタビ復号化処理手段に、入力バッファ３２が第１のデータ格納手段に、出力バッファ３６が第２のデータ格納手段に、ＲＳデコーダ３４がリードソロモン復号化処理手段に、デマルチプレクサ３８がデータ分離手段に、ビデオデコーダ４２、オーディオデコーダ４６、データサービスデコーダ５０がデコード手段に、主制御部６０が出力制御手段にそれぞれ対応する。
【００３６】
本実施形態の多重放送受信機１００はこのような構成を有しており、次に、ＲＳデコーダ３４から出力されるＲＳエラー訂正数に基づいてオーディオやビデオの出力を制限する動作について説明する。
【００３７】
図６は、ＲＳデコーダ３４から出力されて主制御部６０によって集計されるＲＳエラー訂正数の説明図であり、図４に示した番組構成に対応するＲＳエラー訂正数の例が示されている。各ＰＥＳに対応するＲＳエラー訂正数がわかれば、ＰＥＳのタイプ毎に（オーディオ用かビデオ用かによって）それぞれの信号に対して出力制限を行うことができる。主制御部６０は、ＲＳデコーダ３４から出力されるＲＳエラー訂正数をＰＩＤ値毎に集計し、図６に示すような集計テーブル（ＲＳエラー訂正数テーブル）を作成する。集計方法としては、ＰＩＤ値毎のＲＳエラー訂正数を累積する場合や、平均値を算出する場合、最大値を抽出する場合などが考えられる。
【００３８】
なお、図６に示したＲＳエラー訂正数テーブルには、図４に示した全てのトランスポート・パケットのＲＳエラー訂正数が含まれるが、ＰＡＴやＰＭＴのＲＳエラー訂正数は出力制限の制御に使わないため、これらのＲＳエラー訂正数についてはテーブルから削除するようにしてもよい。
【００３９】
図７および図８は、ＲＳエラー訂正数の出力からビデオデコーダ４２やオーディオデコーダ４６の出力制限指示までの動作手順を示す説明図である。本実施形態では、入力バッファ３２および出力バッファ３６のそれぞれは２面構成（Ａ領域とＢ領域）を有しており、一方の面（領域）に対して受信データの書き込みを行っているときに、他方の面（領域）から受信データの読み出しを行うことができるようになっている。
【００４０】
また、図７および図８において、入力バッファ３２や出力バッファ３６に入出力される所定容量分の複数のトランスポート・パケットを、入力順に受信データＡ１、Ｂ２、Ａ３、Ｂ４、・・・とする。これらの中で受信データＡ１、Ａ３等が領域Ａを用いて入出力され、受信データＢ２、Ｂ４等が領域Ｂを用いて入出力される。また、ＡあるいはＢに付された数字は、トランスポート・パケットの入力順番を示している。また、Ｅ（Ａ１）は、入力バッファ３２のＡ領域からＡ１で示される受信データを読み出してＲＳデコーダ３４でリードソロモン復号化処理を行う際に出力されるＲＳエラー訂正数を示している。さらに、Ｓ（Ａ１）は、出力バッファ３６のＡ領域からＡ１で示される受信データ（ＰＥＳ）を読み出してビデオデコーダ４２やオーディオデコーダ４６によるビデオやオーディオの復調処理を行う際に主制御部６０からビデオデコーダ４２やオーディオデコーダ４６に向けて出力される出力制限の制御信号を示している。
【００４１】
まず、入力バッファ３２のＡ領域に受信データＡ１が書き込まれる（図７（ａ））。この書き込み動作は、Ａ領域がいっぱいになるまで、あるいは、書き込む容量が予め決まっている場合にはこの容量に達するまで行われる。
【００４２】
次に、入力バッファ３２の受信データを書き込む領域がＡからＢに切り替えられる（図７（ｂ））。そして、入力バッファ３２のＢ領域に受信データＢ２が書き込まれる。また、この書き込み動作と並行して、ＲＳデコーダ３４は、入力バッファ３２のＡ領域に書き込まれた受信データＡ１を、図１に示したトランスポート・パケット毎に読み出してリードソロモン復号化処理を行い、誤り訂正後の受信データＡ１を出力バッファ３６のＡ領域に書き込む。また、ＲＳデコーダ３４からは、受信データＡ１の各トランスポート・パケット毎のＲＳエラー訂正数Ｅ（Ａ１）がＰＩＤ値とともに出力され、主制御部６０に取り込まれて集計される。
【００４３】
次に、入力バッファ３２の受信データを書き込む領域がＢからＡに切り替えられる（図８（ｃ））。そして、入力バッファ３２のＡ領域に受信データＡ３が書き込まれる。また、この書き込み動作と並行して、ＲＳデコーダ３４は、入力バッファ３２のＢ領域に書き込まれた受信データＢ２を、図１に示したトランスポート・パケット毎に読み出してリードソロモン復号化処理を行い、誤り訂正後の受信データＢ２を出力バッファ３６のＢ領域に書き込む。また、ＲＳデコーダ３４からは、受信データＢ２の各トランスポート・パケット毎のＲＳエラー訂正数Ｅ（Ｂ２）がＰＩＤ値とともに出力され、主制御部６０に取り込まれて集計される。さらに、これらの動作と並行して、出力バッファ３６のＡ領域に書き込まれた誤り訂正後の受信データＡ１の中から、利用者が受信を希望する番組に対応するＰＥＳがデマルチプレクサ３８によって分離され、ビデオデコーダ４２やオーディオデコーダ４６に入力される（なお、これらの各デコーダの出力を制限する場合に着目しているため、データサービスについては説明を省略するものとする）。主制御部６０は、ビデオデコーダ４２やオーディオデコーダ４６に入力される各ＰＥＳのＰＩＤ値に対応するＲＳエラー訂正数の集計値をＲＳエラー訂正数テーブルから読み出し、この集計値が所定の基準値を超えるとき、このＰＩＤ値を有するＰＥＳが入力されたビデオデコーダ４２やオーディオデコーダ４６に出力制限を指示する制御信号Ｓ（Ａ１）を入力する。
【００４４】
ＲＳエラー訂正数が多いほど放送波の電波状態が悪いことになるため、ＲＳエラー訂正数が所定の基準値を超えている場合にはオーディオの場合には音飛びが発生する可能性が高くなり、ビデオの場合には映像が乱れる可能性が高くなる。したがって、各ＰＩＤ値毎に集計されたＲＳエラー訂正数が各ＰＩＤ値毎に設定された所定の基準値を超えた場合には、主制御部６０から出力される制御信号Ｓ（Ａ１）に基づいて、ビデオデコーダ４２についてはフェードアウト処理（画面を徐々に暗くする処理）が行われ、オーディオデコーダ４６についてはミュート処理（無音処理）が行われる。なお、ビデオデコーダ４２によるフェードアウト処理とオーディオデコーダ４６によるミュート処理の実施の有無は、それぞれに対応するＰＥＳのＰＩＤ値毎に決定されるため、いずれか一方のみが実施される場合もあるが、一方のみが実施されるときに他方も合わせて実施するようにしてもよい。
【００４５】
次に、入力バッファ３２の受信データを書き込む領域がＡからＢに切り替えられる（図８（ｄ））。そして、入力バッファ３２のＢ領域に受信データＢ４が書き込まれる。また、この書き込み動作と並行して、ＲＳデコーダ３４は、入力バッファ３２のＡ領域に書き込まれた受信データＡ３を、図１に示したトランスポート・パケット毎に読み出してリードソロモン復号化処理を行い、誤り訂正後の受信データＡ３を出力バッファ３６のＡ領域に書き込む。また、ＲＳデコーダ３４からは、受信データＡ３の各トランスポート・パケット毎のＲＳエラー訂正数Ｅ（Ａ３）がＰＩＤ値とともに出力され、主制御部６０に取り込まれて集計される。さらに、これらの動作と並行して、出力バッファ３６のＢ領域に書き込まれた誤り訂正後の受信データＢ２の中から、利用者が受信を希望する番組に対応するＰＥＳがデマルチプレクサ３８によって分離され、ビデオデコーダ４２やオーディオデコーダ４６に入力される。主制御部６０は、ビデオデコーダ４２やオーディオデコーダ４６に入力される各ＰＥＳのＰＩＤ値に対応するＲＳエラー訂正数の集計値をＲＳエラー訂正数テーブルから読み出し、この集計値が所定の基準値を超えるとき、このＰＩＤ値を有するＰＥＳが入力されたビデオデコーダ４２やオーディオデコーダ４６に出力制限を指示する制御信号Ｓ（Ｂ２）を入力する。このようにして主制御部６０から出力される制御信号Ｓ（Ｂ２）に基づいて、ビデオデコーダ４２についてはフェードアウト処理が行われ、オーディオデコーダ４６についてはミュート処理が行われる。
【００４６】
このように、本実施形態の多重放送受信機１００では、リードソロモン復号化処理における誤り訂正数（ＲＳエラー訂正数）をＰＩＤ値に対応させてＲＳデコーダ３４から出力し、主制御部６０で集計しており、多重化された複数の番組毎に受信品質に応じた出力制限を行うことができる。また、入力バッファ３２や出力バッファ３６を２面構成とすることにより、各面の領域毎にＲＳエラー訂正数を取得して集計することが容易となるため、出力制限の制御が容易となる。
【００４７】
また、ＰＩＤ値毎に得られたＲＳエラー訂正数を集計した結果を用いることにより、受信品質をある期間（集計期間）にわたって判定して出力制限を行うことができ、出力制限の内容が頻繁に変化して利用者に不快感を与えることを防止することができる。
【００４８】
また、ＲＳエラー訂正数が所定の基準を超える場合にビデオデコーダ４２の出力を制限することによりビデオの表示（映像）品質が極端に悪化して利用者に不快感を与えることを未然に防止したり、オーディオデコーダ４６の出力を制限することによりオーディオの出力品質が極端に悪化して利用者に不快感を与えることを未然に防止することができる。
【００４９】
なお、本発明は上記実施形態に限定されるものではなく、本発明の要旨の範囲内において種々の変形実施が可能である。例えば、上述した実施形態では、ＲＳデコーダ３４から出力されるエラー情報としてのＲＳエラー訂正数をＰＩＤ値毎に集計する場合について説明したが、その他のエラー情報を用いるようにしてもよい。例えば、ＲＳデコーダ３４から出力されるエラー情報に、上述したＲＳエラー訂正数とともに、誤り訂正前の誤り数であるＲＳエラー数が含まれているものとする。主制御部６０は、ＲＳデコーダ３４から出力されるＰＩＤ値毎のＲＳエラー訂正数とＲＳエラー数とに基づいてＰＩＤ値毎の誤り訂正できなかった残りのＲＳエラー数を算出、集計し、その集計結果に基づいて必要に応じてビデオデコーダ４２やオーディオデコーダ４６の出力を制限する指示をこれらに対して行う。例えば、誤り訂正ができなかった残りのＲＳエラー訂正数が１つでも残っている場合（ＲＳエラー数＞ＲＳエラー訂正数の場合）には、ビデオデコーダ４２やオーディオデコーダ４６の出力制限が行われる。主制御部６０による具体的な出力制限の制御は、図７および図８に示した動作手順で行われる。この場合に、ＲＳデコーダ３４からは、各トランスポート・パケット毎のＲＳエラー訂正数ＥだけでなくＲＳエラー数Ｅ’がＰＩＤ値とともに出力され、主制御部６０に取り込まれて、誤り訂正できなかったＲＳエラー数がＰＩＤ値毎に集計される。
【００５０】
このように、誤り訂正が十分でなく、訂正できなかったＲＳエラー数が残った場合についてビデオデコーダ４２やオーディオデコーダ４６の出力を制限することにより、オーディオ出力の音飛びやビデオ出力の極端な画質低下の発生を確実に防止することが可能となる。
【産業上の利用可能性】
【００５１】
上述したように、本発明によれば、リードソロモン復号化処理における誤り訂正数（ＲＳエラー訂正数）をＰＩＤ値に対応させてＲＳデコーダ３４から出力して集計することにより、多重化された複数の番組毎に受信品質に応じた出力制限を行うことができる。
【符号の説明】
【００５２】
１０  ＲＦチューナ部
２０  チャネルデコーダ部
２２  ＯＦＤＭ受信部
２４  ビタビデコーダ
３０  ソースデコーダ部
３２  入力バッファ
３４  ＲＳデコーダ
３６  出力バッファ
３８  デマルチプレクサ
４０  ビデオバッファ
４２  ビデオデコーダ
４４  オーディオバッファ
４６  オーディオデコーダ
４８  データバッファ
５０  データサービスデコーダ
５２  ＳＴＣ生成部
５４  制御部
６０  主制御部
１００  多重放送受信機
【図１】
2012175260.tif 000003
【図２】
2012175260.tif 000004
【図３】
2012175260.tif 000005
【図４】
2012175260.tif 000006
【図５】
2012175260.tif 000007
【図６】
2012175260.tif 000008
【図７】
2012175260.tif 000009
【図８】
2012175260.tif 000010